(57)【特許請求の範囲】
【請求項１】
電動門扉における電源供給用のソーラーパネルをブラケットを介して該電動門扉の支柱上面又はソーラー設置専用のポール上面の複数の設置箇所に設置自在としたソーラーパネル取付装置であって，上記ブラケットをこれら設置箇所に共通に固定自在の固定基板と，該固定基板に起立設置し上面を軸支持用の軸受座とした起立部材と，該起立部材の軸受座に支持した状態で相互に球面嵌合した球形の軸及び円筒形の軸受と，該球形の軸における上端の連結部に設置したソーラーパネル固定用のパネル固定板とを備えて形成し，上記円筒形の軸受を上記起立部材の外周に螺装配置してその起立部材に対する締着によって上記球面嵌合した球形の軸を任意の方向及び角度に固定自在とするとともに上記球形の軸の上端にくびれ部を介して上記連結部を設けることにより該くびれ部に上記円筒形の軸受における端縁を受入れて上記連結部の回転範囲を拡大してなることを特徴とする電動門扉のソーラーパネル取付装置。
【請求項２】
上記ソーラーパネルを平面矩形のものとするとともに該ソーラーパネルの上記パネル固定板に対する固定位置を，上記電動門扉の支柱を基準としてその上面に設置した状態で該ソーラーパネルにおける無線アンテナ設置側のコーナーが該支柱上面又は該支柱上面のコーナーから外側に突出しないように偏位調整した位置としてなることを特徴とする請求項１に記載の電動門扉のソーラーパネル取付装置。
【発明の詳細な説明】
【０００１】
【発明の属する技術分野】
本発明はガレージに設置した跳ね上げ門扉，伸縮門扉等の電動門扉に好適に適用しうる電動門扉のソーラーパネル取付装置に関する。
【０００２】
【従来の技術及び発明が解決しようとする課題】
この種電動門扉のソーラーパネル取付装置として，例えば特開平９−２５６７５９号が知られており，これによれば跳ね上げ門扉の仕切面全面にソーラーパネルを配置したものとされている。
【０００３】
この場合電動門扉の駆動のための屋外配線が不要であるから，電動門扉を設置することによって，その後の電気工事業者による電気配線を行なうことなく，直ちにその使用を開始できるメリットがあるが，ソーラーパネルを門扉の仕切面全面に配置するから，そのコストによって高価のものとなり，価格が普及の障害となること，門扉の仕切面にソーラーパネルを設置するから，道路通行の車両による小石の跳ね上げや児童のいたずら等によって，ソーラーパネルが損傷して電動門扉の駆動不能となる可能性が残ること，門扉の仕切面の高さが低く且つ常時垂直面となるから，ソーラーパネルに充分な発電効率を基体し難いこと，電動門扉が東西南北の各方向に向くケースがあるから，設置の向きによってはソーラーパネルの面積が過大になり無駄を招いたり，発電量が不足したりする可能性が残ること，跳ね上げ門扉のように仕切面を維持して開閉する門扉に設置可能となるが，伸縮門扉のように開閉に際して仕切面を折り畳む等仕切面可動の門扉には設置できず，対象とする電動門扉の形態が限られることといった問題点が残されている。
【０００４】
本発明はかかる事情に鑑みてなされたもので，その解決課題とするところは，電動門扉の形態，その設置の向き等を問わずにその開閉駆動に必要且つ充分な発電を効率的になし得るとともにソーラーパネル損傷の可能性を可及的に解消した電動門扉のソーラーパネル取付装置を提供するにある。
【０００５】
【課題を解決するための手段】
上記課題に添って本発明は，ソーラーパネルを電動門扉の支柱上面，ソーラー設置専用のポール等に選択的に設置し得るようにし，可及的に簡易な構造にして電動門扉設置の向きを問わずにソーラーパネルの方向と角度を任意に設定して，電動門扉開閉駆動のための効率的な発電を行なうことができるようにしたものであって，即ち請求項１に記載の発明を，電動門扉における電源供給用のソーラーパネルをブラケットを介して該電動門扉の支柱上面，ソーラー設置専用のポール上面等の複数の設置箇所に選択的に設置自在としたソーラーパネル取付装置であって，上記ブラケットをこれら設置箇所に共通に固定自在の固定基板と，該固定基板に起立設置し上面を軸支持用の軸受座とした起立部材と，該起立部材の軸受座に支持した状態で相互に球面嵌合した球形の軸及び円筒形の軸受と，該球形の軸における上端の連結部に設置したソーラーパネル固定用のパネル固定板とを備えて形成し，上記円筒形の軸受を上記起立部材の外周に螺装配置してその起立部材に対する締着によって上記球面嵌合した球形の軸を任意の方向及び角度に固定自在とするとともに上記球形の軸の上端にくびれ部を介して上記連結部を設けることにより該くびれ部に上記円筒形の軸受における端縁を受入れて上記連結部の回転範囲を拡大してなることを特徴とする電動門扉のソーラーパネル取付装置とし，請求項２に記載の発明は，上記に加えて電動門扉に一般に設置される遠隔開閉操作のための無線アンテナとソーラーパネルの衝接を避けて，これらの関係を調整し，上記ソーラーパネルの設置を無線アンテナ付きの支柱に対しても同様に行なえるように，これを，上記ソーラーパネルを平面矩形のものとするとともに該ソーラーパネルの上記パネル固定板に対する固定位置を，上記電動門扉の支柱を基準としてその上面に設置した状態で該ソーラーパネルにおける無線アンテナ設置側のコーナーが該支柱上面又は該支柱上面のコーナーから外側に突出しないように偏位調整した位置としてなることを特徴とする請求項１に記載の電動門扉のソーラーパネル取付装置とし，これらをそれぞれ発明の要旨として上記課題解決の手段としたものである。
【０００６】
【発明の実施の形態】
以下図面の例に従って本発明を更に具体的に説明すれば，１は，本例において跳ね上げ門扉とした電動門扉，２，３はその支柱，１０は電動門扉１の電源供給用のソーラーパネルであり，該ソーラーパネル１０は，ブラケット１１を介して該電動門扉１の支柱２，３上面，ソーラー設置専用のポール９上面等の複数の設置箇所に選択的に設置自在としてあり，このとき上記ブラケット１１は，これをこれら設置箇所に共通に固定自在の固定基板１２と，該固定基板１２に起立設置し上面を軸支持用の軸受座１４とした起立部材１３と，該起立部材１３の軸受座１４に支持した状態で相互に球面嵌合した球形の軸１５及び円筒形の軸受１７と，該球形の軸１５における上端の連結部１６に設置したソーラーパネル１０固定用のパネル固定板１８とを備えて形成し，，上記円筒形の軸受１７を上記起立部材１３の外周に螺装配置してその起立部材１３に対する締着によって上記球面嵌合した球形の軸１５を任意の方向及び角度に固定自在とするとともに上記球形の軸１５の上端にくびれ部を介して上記連結部１６を設けることにより該くびれ部に上記円筒形の軸受１７における端縁を受入れて上記連結部１６の回転範囲を拡大したものとしてある。
【０００７】
即ち本例のソーラーパネル１０は，小型高性能のソーラーセルをケース内に面状に並べた，例えば長辺を３７ｃｍ×短辺を１５ｃｍとした平面矩形のものとし，上記ブラケット１１によってこれを支柱２，３，ポール９或いは図示省略の建物外装面等にそれぞれ設置して，例えば電動門扉１が建物等によって日陰になるとき，電動門扉１の設置が北側に向くとき等を含めてソーラーパネル１０設置位置を適宜に可変とするとともに上記ブラケット１１に対するソーラーパネル１０の方向及び角度を任意に設定して固定することによって，好適な位置と向きにこれを設置することができるようにしてある。
【０００８】
本例のブラケット１１は金属，例えばアルミ製のものとし，その固定基板１２は，これを複数のネジ穴２０を設けた円盤状のものとして，上記支柱２，３の上端キャップ４，ポール９上面に載置し，或いは建物外装面に突き当て又は載置してそれぞれネジ穴２０を介したネジ２１によってこれらに締着固定するようにしてあり，このとき固定基板１２は，これを上記支柱２，３上面，ポール９上面に選択的に設置自在の共通のものとしてあり，本例にあっては，例えば固定基板１２の径を最小の設置対象をなす上記ポール９の径に合わせるとともに上記ネジ穴２０の数と位置を該ポール９の内側に設けた図示省略のタッピングホールの数と位置に合わせたものとし，支柱２，３上面にあってはそのキャップ４にこれに追随するように受けのネジ穴を設置して，これら支柱２，３及びポール９に対するネジ２１による設置を可能とする一方，建物外装面にはネジによって直接の設置を行なうようにしてある。
【０００９】
本例の起立部材１３は，上記固定基板１２と一体成形してこれに起立設置した円筒形状の起立部分をなすとともにその外周の上方位置に雄ネジを刻設した起立円筒部材としてあり，このときその軸１５支持用の軸受座１４は，該起立部材１３の上端を凹陥した湾曲面とすることによって軸１５をその下端で回転自在に載置支持するようにしてある。
【００１０】
本例の軸１５は，上記軸受座１４に下端を無方向的に回転自在に載置支持した球形のものとしてあり，本例にあって該軸１５はその上端にくびれ部を介して連結部１６，即ち本例にあって小径の円形平板部とその中央位置の円形突起による連結部１６を一体成形して具備したものとしてある。
【００１１】
本例の軸受１７は，上記軸１５の連結部を挿通可能の径を有する円筒形のものとしてあり，その内面上方に凹陥の湾曲面を形成して上記球形の軸１５に球面嵌合する軸受部とするとともにその内面下方に上記起立部材１３の雄ネジと螺装可能の雌ネジを刻設したものとしてある。
【００１２】
本例のパネル固定板１８は，上記軸１５に設置した連結部１６の円形突起受入用の円形孔を透設し，複数のネジ穴２０を設けたリング状のものとしてある。
【００１３】
ブラケット１１は，これら固定基板１２，軸１５，軸受１７等を組合せて構成してあり，即ち本例のブラケット１１は，上記円筒形の軸受１７下方から軸１５の連結部１６を挿通し，軸１５と軸受１７とを嵌合させ，軸受１７の下方に起立部材１３を挿入し，その雄ネジと雌ネジによってこれらを螺装配置する一方，軸１５の連結部１６にパネル固定板１８の円形孔を嵌合して，必要に応じた固定を行ってこれを組立るものとしてあり，これによって上記球形の軸１５は，その上記連結部１６を軸受１７から上方に突出させ，その下端を軸受座１４に回転自在に載置支持した状態で軸受１７と球面嵌合してその無方向的な回転を自在とする一方，軸受１７を起立部材１３に締着することにより，上記軸受座１４の支持状態で上面側から締付け状にして，球面嵌合した軸１５を任意の方向及び角度に固定可能としてある。
【００１４】
このとき本例のブラケット１１は，軸１５にくびれ部を介して連結部１６を設けてあるから，該くびれ部が軸受１７端縁を受け入れるようになって，その回転範囲を可及的に拡大するものしてあり，本例にあって軸１５はくびれ部の設置によって垂線から各３５°の角度，即ち７０°の回転角度を有してその無方向的な回転を可能とするものとしてある。
【００１５】
ブラケット１１は，そのパネル固定板１８にソーラーパネル１０をネジ穴２０を介してネジ２１固定する一方，固定基板１２を電動門扉１の支柱２，３上面，ソーラー設置専用のポール９上面に載置し，或いは建物外装面に載置又は突き当てし，複数の設置箇所から選択したソーラーパネル１０設置の好適位置に上記ネジ２１による固定を行なって，その設置を行い電動門扉１の電源供給を行なうものとしてある。
【００１６】
このとき本例にあって上記ソーラーパネル１０は，これを平面矩形のものとするとともに該ソーラーパネル１０の上記パネル固定板１８に対する固定位置を，上記電動門扉１の，本例にあっては一方の支柱２を基準としてその上面に設置した状態で該ソーラーパネル１０における無線アンテナ設置７側のコーナーが該支柱２上面又は該支柱２上面のコーナーから外側に突出しないように偏位調整した位置としたものとしてあり，これによって電動門扉１に一般に設置される遠隔開閉操作のための無線アンテナ７とソーラーパネル１０の衝接を避けて，これらの関係を調整するようにしてある。
【００１７】
即ち支柱２，３は，一般にソーラーパネル１０の平面形状及び寸法とは別に設計される上，一方の支柱２には無線アンテナ７をその上端に突出設置することになるから，ソーラーパネル１０を設置するについては，支柱２及び無線アンテナ７との取合を考慮する必要が生じることになるが，本例にあっては，ブラケット１１とソーラーパネル１０の固定位置，即ち上記パネル固定板１８とソーラーパネル１０の固定位置を偏位することによってこの関係を調整し，一対の支柱２，３を含めて上記複数の設置箇所から，該無線アンテナ７設置の支柱２に対してソーラーパネル１０を設置しても該無線アンテナ７によってソーラーパネル１０の向きと角度を確保し得るようにしてある。
【００１８】
このとき本例の上記支柱２は，これを前後に長い平面矩形のものとしてあるから，上記偏位は，該矩形の支柱２上面の無線アンテナ７設置側のコーナーからソーラーパネル１０が突出しないように行なってあり，これによってソーラーパネル１０の向き及び角度を無線アンテナ７に当ることなく実質的に自由に設定し得るようにしてある。
【００１９】
従って本例のソーラーパネル取付装置によれば，例えば電動門扉１を南側に設置したときは，一対のうち一方の支柱２又は３にソーラーパネル１０を南向きに設置し，北側に設置したときは，ポール９を電動門扉１の近傍に支柱２，３より高く起立設置し可及的に日陰を避けるようにソーラーパネル１０を同じく南向きや東西向きに設置し，或いは屋根，外壁等の建物外装面に同じく南向きに設置する等して，電動門扉１の設置場所に限らずにソーラーパネル１０設置位置とその向き及び角度を最適にしてその効率的な発電を行なうことが可能になる。
【００２０】
図中５は電動門扉１の開閉用アーム，６は支柱２に内蔵したバッテリー，８は支柱２側面に設置した電動門扉１開閉用の操作スイッチ，１９はブラケット１１の中を貫通するように，軸１５と起立部材１３に設置したソーラーパネル１０からの配線挿通孔である。
【００２１】
図示した例は以上のとおりとしたが，ブラケットにおける上記起立部材を固定基板にネジ等で固定する別体のものとすること，パネル固定板を軸受を挿通可能な径にして軸に一体成形したものとすること，支柱を平面円形としてソーラーパネルのコーナーが該円形の支柱上面から外側に突出しないようにすること等を含めて，本発明の実施に当って，電動門扉，支柱，ポール，ソーラーパネル，ブラケット，その固定基板，起立部材，軸受座，軸，軸受，パネル固定板等の各具体的形状，材質，構造，これらの関係，これらに対する付加等は，上記発明の要旨に反しない限り様々の形態のものとすることができる。
【００２２】
【発明の効果】
本発明は以上のとおりに構成したので，請求項１に記載の発明は，電動門扉の形態，その設置の向き等を問わずにその開閉駆動に必要且つ充分な発電を効率的になし得るとともにソーラーパネル損傷の可能性を可及的に解消した電動門扉のソーラーパネル取付装置を提供することができ，請求項２に記載の発明は，これに加えて電動門扉に一般に設置される遠隔開閉操作のための無線アンテナとソーラーパネルの衝接を避けて，これらの関係を調整し，上記ソーラーパネルの設置を無線アンテナ付きの支柱に対しても同様に行なえるようにしたものとすることができる。
【図面の簡単な説明】
【図１】  支柱にソーラーパネルを設置した跳ね上げ電動門扉の正面図である。
【図２】  図１の電動門扉の側面図である。
【図３】  図１の電動門扉の平面図である。
【図４】  近傍のポールにソーラーパネルを設置した跳ね上げ電動門扉の正面図である。
【図５】  図４の電動門扉の側面図である。
【図６】  図４の電動門扉の平面図である。
【図７】  ブラケットの正面図である。
【図８】  ブラケットの縦断面図である。
【図９】  ブラケットの角度変化の状態を示す縦断面図である。
【図１０】  支柱へのソーラーパネルの取付状態を示す部分拡大側面図である。
【図１１】  図１０のソーラーパネルの方向を代えた部分拡大側面図である。
【図１２】  図１０のソーラーパネルの方向を代えた部分拡大背面図である。
【図１３】  同じく図１０のソーラーパネルの方向を代えた部分拡大背面図である。
【図１４】  ポールへのソーラーパネルの取付状態を示す部分拡大正面図である。
【図１５】  図１４のソーラーパネルの方向を代えた部分拡大側面図である。
【符号の説明】
１  電動門扉
２  支柱
３  支柱
９  ポール
１０  ソーラーパネル
１１  ブラケット
１２  固定基板
１３  起立部材
１４  軸受座
１５  軸
１７  軸受
１８  パネル固定板
【図１】
0003810962.tif 000002
【図２】
0003810962.tif 000003
【図３】
0003810962.tif 000004
【図４】
0003810962.tif 000005
【図５】
0003810962.tif 000006
【図６】
0003810962.tif 000007
【図７】
0003810962.tif 000008
【図８】
0003810962.tif 000009
【図９】
0003810962.tif 000010
【図１０】
0003810962.tif 000011
【図１１】
0003810962.tif 000012
【図１２】
0003810962.tif 000013
【図１３】
0003810962.tif 000014
【図１４】
0003810962.tif 000015
【図１５】
0003810962.tif 000016